【手続補正書】
【提出日】平成17年10月6日(2005.10.6)
【手続補正１】
【補正対象書類名】明細書
【補正対象項目名】特許請求の範囲
【補正方法】変更
【補正の内容】
【特許請求の範囲】
【請求項１】  １以上の印刷回路基板を具備し、その上に１以上の集積回路が接続されており、この１以上の集積回路は１ピースのディスプレイ表面によりカバーされ、そのディスプレイ表面はその下に位置する集積回路によって励起される１以上の発光物質によりカバーされているデジタルビデオスクリーン装置において、
ａ）ビデオスクリーンにより表示されるイメージ点に属している各サブ画素に対して、付勢されたとき基本的なカラーの強度に対応している基本的な光子束Φｅをそれぞれ放射する所定数の対応する基本発光装置が設けられ、
ｂ）各サブ画素を形成する基本発光装置は一方では適切な入力ソースの共通の端子に全て接続され、他方では電子スイッチの介在により付勢または消勢され、電子スイッチは論理制御装置に与えられ各サブ画素の所望のカラー強度の値に対応する２進ワードにしたがって、１以上の基本発光装置１を同時に入力ソースの他方の端子にそれぞれ接続し、または遮断し、
ｃ）各付勢された基本発光装置は連続的またはパルス状で基本光子束Φｅを放射し、これはこれらが属する付勢されたサブ画素の他の基本発光装置によって同時に放射された他の連続的またはパルス状の基本光子束Φｅと結合されて、サブ画素のカラー強度に対応する連続的に全部の連続またはパルス状の光子束Φｓｐを形成し、
ｄ）入力ソースのみにしたがって、入力ソースが連続的であるか交番特性であるかに応じて、スクリーンの全てのサブ画素の全ての付勢された基本発光装置が連続的または所定のインパルスレートで基本光子束Φｅを放射し、
ｅ）スクリーンの全てのイメージ点に対する全てのサブ画素により同時に放射されるカラー強度に対応する総光子束Φｓｐのセットのインパルスレートは、ビデオスクリーンにより表示されるイメージのリフレッシュレートに対応し、したがって連続的であるかまたは基本発光装置の特性に適切な所定の周波数における入力ソースの特有の関数であり、
ｆ）各サブ画素に対して、それぞれ関連する電子スイッチはサブ画素のディスプレイメモリを形成するフリップフロップの出力に接続された論理制御装置を有し、サブ画素により表示されるカラー強度に対応している２進ワード値を記憶するための負荷ディスプレイ入力を使用することを特徴とするデジタルビデオスクリーン装置。
【請求項２】  ａ）サブ画素により放射されるカラー強度に対応する全体の連続的な光子束またはパルス状光子束Φｓｐは、２つの他のサブ画素により同時に放射されるカラー強度に対応する全連続的な光子束またはパルス状光子束Φｓｐと結合され、３色を付加することにより対応するイメージ点のカラーを得るためのＲＧＢトリプレットを共に形成し、
ｂ）全てのイメージ点のＲＧＢトリプレットを形成する全てのサブ画素により同時に放射されるカラーの強度に対応する全体の連続的またはパルス状光子束Φｓｐのセットに対する３色の組合わせは、それ故ビデオスクリーンにより表示されるイメージの全てのカラーに対応していることを特徴とする請求項１記載の装置。
【請求項３】  ａ）スクリーンの全てのサブ画素に対するディスプレイメモリのフリップフロップへの全ての負荷入力は共に接続されて同時に負荷することを可能にし、
ｂ）各サブ画素のディスプレイメモリを形成するフリップフロップへの入力は、各サブ画素の次のディスプレイメモリを形成するフリップフロップの出力に接続され、負荷入力はスクリーンのサブ画素により後に表示される次のカラーの強度に対応する負荷２進ワードを許容し、
ｃ）サブ画素により次に表示される次のカラー強度に対応する２進ワードは、各スクリーンのサブ画素の全ての次の表示メモリを接続する共通のデータバスにより次のディスプレイメモリ23の入力に供給され、
ｄ）装置はサブ画素の次のディスプレイメモリへ現在の２進ワードを有する入力を負荷することを可能にし、それによりスクリーンの全てのサブ画素の全ての次のディスプレイメモリがそれらを目的地とする２進ワードを受信するとき、信号は全てのスクリーンのサブ画素のディスプレイメモリの共通の負荷入力に与えられ、その全体において次のイメージをスクリーン上で全て一度に表示するためにディスプレイメモリへの次のディスプレイメモリの内容を同時に転送することを可能にし、
ｅ）イメージが永久的な方法または所定のレートでその全体において表示され、次のディスプレイメモリはイメージ変化レートと、イメージ解像度に基づいたレートで次のイメージのカラーに対応する２進ワードのセットで負荷されることができ、したがって負荷レートまたは表示されたイメージのリフレッシュレートからの次のイメージの変化レートの分離を可能にすることを特徴とする請求項１または２記載の装置。
【請求項４】  各基本発光装置は一方ではルミネセンス物質と、入力ソースに直接接続された電極とにより被覆される透明な支持体と、他方では、絶縁体により包囲されるキャパシタンスが設けられた絶縁支持体との間に含まれたガスセルであり、キャパシタンスは誘電体上へ電極を付着することにより形成され、誘電体自体は転送ゲートに接続される電極上に位置され、転送ゲートは入力ソースの他方の端子に接続され、それによって論理入力制御装置Ｌの状態に応じて、転送ゲートは入力ソースの印加を行うか阻止することを特徴とする請求項１乃至３のいずれか１項記載の装置。
【請求項５】  ａ）ガスはプラズマスクリーンで使用されるガスと類似し、その圧力と組成の特徴であるイオン化電圧｜Ｖｉ｜を有し、
ｂ）入力ソースはそれ故、ガスのイオン化電圧の絶対値｜Ｖｉ｜の数倍よりも僅かに大きいピーク対ピーク値を有する周期的な入力電圧を発生し、
ｃ）キャパシタンスは、イオン化されたときのガスの導電度と、基本光子束Φｅの基本時間Ｔｅとして所望されイオン化されたガスを通してソース２により放電される電流を制限するように決定されたイオン化時間値Ｔｉに応じて数ピコ乃至数十のナノファラドの値を有し、ガスの次のイオン化までこの値を維持するために入力電圧（Ｖａ）をキャッチアップし、したがって数マイクロアンペアまたは数十のマイクロアンペア程度に瞬間的な電流を消費する正常以下または正常の発光イオン化インパルスのモードで機能するプラズマとして常に作用し、
ｄ）電極は微細な導電体グリッド、またはガスにより放射された発光インパルスに対して透明であり、
ｅ）ルミネセンス物質はプラズマスクリーンに使用される組成と類似の組成を有し、その役割はイオン化されたときガスにより放射される発光インパルスをその組成の可視波長特性を有する発光インパルスに変換することであり、
ｆ）転送ゲートが論理制御装置（Ｌ）に対応する論理信号の供給により遮断されるとき、ガスはイオン化せず、基本発光装置は不活性であり、転送ゲートが論理制御装置（Ｌ）に対応する論理信号により伝導状態にされたとき、基本発光装置１は付勢され、ガスは端子とに与えられた入力電圧の絶対値｜Ｖａ｜がイオン化電圧の絶対値｜Ｖｉ｜に等しくなるとすぐにイオン化し、それによって、それが導電する電流はキャパシタンス４を充電し、キャッチアップし、イオン化は入力電圧の絶対値｜Ｖａ｜がイオン化電圧の絶対値｜Ｖｉ｜に再度等しくなるまで停止しているので、入力電圧Ｖａを維持し、別の基本発光インパルスに変換される別の発光インパルスを発生し、
ｇ）発光インパルスに変換される発光インパルスのレートは、単にピーク対ピーク値と入力電圧Ｖａの周波数と、ガス14のイオン化電圧値｜Ｖｉ｜と、キャパシタンスの値との関数であり、スクリーンを形成する全てのサブ画素の全ての付勢された基本発光装置の場合と同様であり、したがって表示されるイメージのリフレッシュレートに対応していることを特徴とする請求項１乃至４のいずれか１項記載の装置。
【請求項６】  ａ）ビデオスクリーンを形成する各サブ画素に対しては、２のｎ乗（２n ）の基本発光装置がアセンブルされ、一方では全て適切な入力ソースの共通の端子に接続され、他方では論理制御装置Ｌ１−Ｌｎを有するｎ個の転送ゲートの介在により付勢または消勢され、論理制御装置Ｌ１−Ｌｎはサブ画素の所望のカラー強度値に対応し論理制御装置Ｌ１−Ｌｎに与えられるｎビット２進ワードにしたがってサブ画素を形成する２n-1 基本発光装置を同時に入力ソースＶａの別の端子に接続または遮断し、それによって、各サブ画素の発光インパルスにより放射されるカラー強度値２n が放射され、
ｂ）サブ画素を形成する２n の基本発光装置のセットは入力ソースに接続される共通の電極を有し、
ｃ）所定のカラーに対応するルミネセンス物質は手段により密封されることができるサブ画素を形成する２n の基本発光装置のセットをカバーし、手段は、その手段の内部が絶縁体により被覆されているならば、共通の電極と入力ソースとの間の導体として作用することができ、
ｄ）ディスプレイメモリに接続されている論理制御装置Ｌ１−Ｌｎを有し、ディスプレイメモリ自体は次のディスプレイメモリに接続されているｎ個の転送ゲートを有する２n の基本発光装置はｎ個の入力Ｄｎ、ディスプレイメモリの負荷を許容する入力（Ｍ．ＤＩＳ）、次のディスプレイメモリの負荷を許容する入力（Ｍ．ＮＸＴ）、入力ソース（Ｖａ）への接続のための２つの端子を形成することを特徴とする請求項１乃至５のいずれか１項記載の装置。
【請求項７】  サブ画素を形成する基本回路は、１または（２n-1 ）の基本発光装置をそれぞれ制御する方法でサブ画素が１または８の転送ゲート３に接続されている１または２５６の基本発光装置１から形成されているので、１またはｎ＝８の入力Ｄ１またはＤ１−Ｄ８を含んでおり、文字数字および／またはグラフィックのハフトーンを有するか有しないモノクロディスプレイスクリーンを必要とするか或いはポリクロームビデオディスプレイスクリーンを必要とする応用で使用するために１または８ビットの次のディスプレイメモリに接続されている１または８ビットのディスプレイメモリを有することを特徴とする請求項６記載の装置。
【請求項８】  ａ）スクリーンを形成し、それぞれ基本回路により表される全てのサブ画素は、入力Ｄ１−Ｄ８により共通の８ビットバスに接続され、それらの間で単一の信号ソース（Ｍ．ＤＩＳ）に接続されているディスプレイメモリの負荷入力を有し、
ｂ）各サブ画素は先行するサブ画素が存在するならば、その装置25の出力Ｑに接続されるか、または基本回路の入力Ｄ１−Ｄ８に接続されているバスで８ビットワードを送信する装置に接続されている入力（Ｄ）を具備するＤ型フリップフロップである装置25に関連され、バスの各８ビットワードに同期されるクロック信号Ｃを受信するための入力ＣＰと、Ｄ型フリップフロップをその初期状態にリセットするリセット信号を受信するための入力Ｒと、サブ画素の次のディスプレイメモリの負荷入力（Ｍ．ＮＸＴ）と次のサブ画素が存在するならばその装置の入力Ｄとに接続されている出力Ｑとを具備し、それによって各スクリーンのサブ画素はシフトレジスタのリンクを形成し、
ｃ）全てのスクリーンのサブ画素の全ての装置の入力ＣＰに同時に与えられる各クロックエッジＣでは、記憶信号はＤ型フリップフロップからＤ型フリップフロップへ伝播し、データバスに存在する８ビットワードに対応しサブ画素により次に表示される次のカラー強度に対応する次のディスプレイメモリのサブ画素の負荷を可能にし、
ｄ）スクリーンを形成する各サブ画素に対しては、装置に接続されている基本回路は回路を形成し、その入力Ｄ１−Ｄ８は共通の８ビットバスに接続され、先行するサブ画素から来るその入力（ＳＰ．ＰＣＤ）は次のディスプレイメモリを負荷することを可能にし、次のディスプレイメモリの負荷信号を次のサブ画素へ送信するための出力（ＳＰ．ＮＸＴ）を有し、クロックＣ、リセット、ディスプレイメモリの負荷のための信号（Ｍ．ＤＩＳ）を受信するための全てのスクリーンサブ画素に共通の入力、および入力ソースへ接続するための端子を有することを特徴とする請求項１乃至７のいずれか１項記載の装置。
【請求項９】  回路にしたがって集積回路として形成されるｎラインのｍのサブ画素（ｎ，ｍ）のブロックにおいて、入力端子Ｄ１−Ｄ８は８ビットの共通のバスで接続され、（ｎ，ｍ）サブ画素の先行するブロックから来る入力ＳＰ．ＰＣＤは次のディスプレイメモリの負荷を許容し、次のディスプレイメモリの負荷信号を（ｎ，ｍ）サブ画素の次のブロックへ送信するための出力（ＳＰ．ＮＸＴ）と、クロックＣ、リセットおよびディスプレイメモリの負荷のための信号Ｍ．ＤＩＳを受信するための全てのスクリーンサブ画素に共通の入力とを有し、入力ソースへ接続するための端子を有し、集積回路を形成するための手段の介在によりセットを固定するように共通の透明な電極が上部に付加されることを特徴とする請求項１乃至８のいずれか１項記載の装置。
【請求項１０】  ａ）１ピースのディスプレイを有するビデオスクリーンは印刷回路基体において、入力端子Ｄ１−Ｄ８に接続された８ビットの共通のバス、回路のアレイと、入力（ＳＰ．ＰＣＤ）を出力（ＳＰ，ＮＸＴ）へリンクし、クロックＣと、リセットと、信号（Ｍ．ＤＩＳ）と、入力ソースとを受信する全てのスクリーンのサブ画素に共通の入力とを有し、
ｂ）回路のアレイはスクリーンを構成する素子のセットの上部に位置された１ピースの透明な支持体へスクリーン印刷によって付着される発光物質７で形成されたＲＧＢトリプレットで励起ソースのサブ画素×サブ画素で構成し、スクリーンのディスプレイ表面は１ピースであることを特徴とする請求項１乃至９のいずれか１項記載の装置。
【請求項１１】  ａ）スクリーンを形成し、それぞれ基本回路により表されるサブ画素はＤ型フリップフロップで構成されている装置へ接続され、その出力端子Ｑは３つのサブ画素のグループにより次のディスプレイメモリに対する負荷入力（Ｍ．ＮＸＴ）へ接続され、それによりスクリーン点の各トリプレットに対する回路を形成し、
ｂ）次のディスプレイメモリの入力は、トリプレットに対応する３つの８ビットワードが一度負荷の許可を与えられると、それを並列に同時に受信する方法により２４ビットデータバスに全て接続され、それによってデータを次のディスプレイメモリへ負荷するのに３倍の遅いクロックレートを許容することを特徴とする請求項１乃至１０のいずれか１項記載の装置。
【請求項１２】  集積回路は厚さを減少したビデオスクリーン構造を可能にする形状を有する印刷回路基体上に配置された正方形、長方形または六角形の形状を有し、そのディスプレイ表面は平面、円筒形および球形であることを特徴とする請求項１乃至１１のいずれか１項記載の装置。
【請求項１３】  ＬＵは単なるフィラメントまたはフラッシュランプ、エレクトロルミネセンスダイオード、薄膜エレクトロルミネセンス、プラズマセル、液晶セル、光放射ポリマーまたはマイクロミラーであることを特徴とする請求項１乃至１２のいずれか１項記載の装置。
【請求項１４】  図１５の基本回路から、ビデオスクリーンはダイオードマトリックス、ＬＣＤまたはプラズマセルに使用されるような典型的なＸ、Ｙマトリックスアドレシング装置により、サブ画素ごとに負荷されたサブ画素のマトリックスによって構成されていることを特徴とする請求項１乃至１３のいずれか１項記載の装置。
【請求項１５】  イメージを集合的に形成できる画像ユニットのアレイを有するディスプレイを駆動する集積回路において、
ディスプレイの画像ユニットに関連され、イメージ情報を記憶するための複数のメモリ装置を具備し、
各メモリ装置は、予め定められた画像ユニットの駆動に使用されるイメージ情報を転送するために予め定められた画像ユニットに関連する出力を有している集積回路。
【請求項１６】  予め定められた画像ユニットに関連する複数のメモリ装置を含んでいる請求項１５記載の集積回路。
【請求項１７】  画像ユニットの駆動に使用されるメモリ装置からのイメージ情報の解除をトリガーするためのイメージ情報解除論理装置を含んでいる請求項１５記載の集積回路。
【請求項１８】  メモリ装置中に負荷されるイメージデータを受信するためのイメージデータ入力を含んでいる請求項１７記載の集積回路。
【請求項１９】  集積回路のメモリ装置へのデータ入力において与えられるイメージデータを逐次的に負荷するためのデータ負荷論理装置を含んでいる請求項１８記載の集積回路。
【請求項２０】  イメージ情報解放論理装置は画像ユニットの駆動に使用されるメモリ装置からイメージ情報を解除し、それに続いて次にメモリ装置中にイメージデータが負荷されるように構成されている請求項１９記載の集積回路。
【請求項２１】  画像ユニットはディスプレイ上で列及び行で組織化され、イメージ情報解放論理装置はディスプレイ上の複数の行及び複数の列上に位置されている画像ユニットに対応するメモリ装置から同時にイメージ情報を解除するように構成されている請求項２０記載の集積回路。
【請求項２２】  イメージ情報解放論理装置は全てのメモリ装置から同時にイメージ情報を解放するように構成されている請求項２１記載の集積回路。
【請求項２３】  前記イメージデータはデジタルデータである請求項２０記載の集積回路。
【請求項２４】  前記イメージデータはカラー情報を含んでいる請求項２３記載の集積回路。
【請求項２５】  それぞれのメモリ装置に関連する転送ゲートを具備している請求項１８記載の集積回路。
【請求項２６】  各転送ゲートはそれに関連する画像ユニットの視覚的知覚を変更する複数の動作状態を有している請求項２５記載の集積回路。
【請求項２７】  所定の転送ゲートに関連するメモリ装置中のイメージ情報は転送ゲートに与えられるとき、転送ゲートの動作状態を変化するように構成されている請求項２６記載の集積回路。
【請求項２８】  各転送ゲートは導通動作状態と、非導通動作状態とを有している請求項２７記載の集積回路。
【請求項２９】  各転送ゲートと直列のキャパシタを具備している請求項２８記載の集積回路。
【請求項３０】  ディスプレイは白熱灯ディスプレイ、液晶ディスプレイ、マイクロミラーディスプレイ、エレクトロルミネセンスダイオードディスプレイ、プラズマディスプレイ、発光ポリマーディスプレイ、およびフラッシュランプディスプレイからなるグループから選択される請求項１５項記載の集積回路。
【請求項３１】  集合的にイメージを形成できる画像ユニットのアレイを有するディスプレイを駆動する駆動回路において、
ａ）イメージ負荷レートでディスプレイ上に表示されるイメージを連続的に負荷するように画像ユニットを駆動するデジタル集積論理装置と、
ｂ）リフレッシュレートでディスプレイの画像ユニットをリフレッシュするコンポーネントとを具備し、
ｃ）イメージ負荷レートとリフレッシュレートの一方はイメージ負荷レートとリフレッシュレートの他方と独立に制御可能に関連している回路。
【請求項３２】  コンポーネントは交流電圧を受取るための入力を含んでいる請求項３１記載の回路。
【請求項３３】  交流電圧は周波数によって特徴付けられ、その周波数はリフレッシュレートにおける入射を有している周波数を特徴とする請求項３２記載の回路。
【請求項３４】  交流電圧は大きさによって特徴付けられ、その大きさはリフレッシュレートにおける入射を有している大きさを特徴とする請求項３２記載の回路。
【請求項３５】  コンポーネントは交流電圧を受取る入力と直列のキャパシタを含んでいる請求項３３記載の回路。
【請求項３６】  コンポーネントは交流電圧を受取る入力と直列のキャパシタを含んでいる請求項３４記載の回路。
【請求項３７】  集積されたデジタル論理装置が、
ａ）ディスプレイの画像ユニットに関連されたイメージ情報を記憶するための複数のメモリ装置と、
ｂ）予め定められた画像ユニットの駆動に使用されるイメージ情報を転送するために予め定められた画像ユニットに関連する出力を有する各メモリ装置とを具備している請求項３１記載の回路。
【請求項３８】  イメージを集合的に形成でき、複数の行で配置されている画像ユニットのアレイを有するディスプレイを駆動する集積回路において、
ａ）ディスプレイの画像ユニットに関連されたイメージ情報を記憶するための複数のメモリ装置と、
ｂ）メモリ装置中のイメージ情報にしたがって、ディスプレイの画像ユニットの複数の行を形成する複数の画像ユニットをメモリ装置に同時に駆動させる制御論理装置とを具備している集積回路。
【請求項３９】  予め定められた画像ユニットに関連する複数のメモリ装置を含んでいる請求項３８記載の集積回路。
【請求項４０】  制御論理装置は、制御信号に応答して、メモリ装置からのイメージ情報の解除をトリガーする請求項３８記載の集積回路。
【請求項４１】  メモリ装置中に負荷されるイメージデータを受信するためのイメージデータ入力を有している請求項４０記載の集積回路。
【請求項４２】  メモリ装置へのデータ入力において与えられるイメージデータを逐次的に負荷するためのデータ負荷論理装置を含んでいる請求項４１記載の集積回路。
【請求項４３】  制御論理装置は画像ユニットを駆動するためにメモリ装置からイメージ情報を解除するように構成され、それに続いてメモリ装置中のイメージデータを負荷する請求項４２記載の集積回路。
【請求項４４】  制御論理装置は全てのメモリ装置から同時にイメージ情報を解除するように構成されている請求項４３記載の集積回路。
【請求項４５】  前記イメージデータはデジタルデータである請求項４３記載の集積回路。
【請求項４６】  前記イメージデータはカラー情報を伝達する請求項４５記載の集積回路。
【請求項４７】  それぞれのメモリ装置に関連する転送ゲートを具備している請求項４６記載の集積回路。
【請求項４８】  各転送ゲートはそれに関連する画像ユニットの視覚的知覚を変更する複数の動作状態を有している請求項４７記載の集積回路。
【請求項４９】  所定の転送ゲートに関連するメモリ装置中のイメージ情報は、転送ゲートに与えられるとき、転送ゲートの動作状態を変化するように構成されている請求項４８記載の集積回路。
【請求項５０】  各転送ゲートは導通動作状態と、非導通動作状態とを有している請求項４９記載の集積回路。
【請求項５１】  各転送ゲートと直列のキャパシタを具備している請求項４９記載の集積回路。
【請求項５２】  ディスプレイは白熱灯ディスプレイ、液晶ディスプレイ、マイクロミラーディスプレイ、エレクトロルミネセンスダイオードディスプレイ、プラズマディスプレイ、発光ポリマーディスプレイ、およびフラッシュランプディスプレイからなるグループから選択される請求項３８項記載の集積回路。
【請求項５３】  イメージを集合的に形成でき、複数の列で配置されている画像ユニットのアレイを有するディスプレイを駆動する集積回路において、
ａ）ディスプレイの画像ユニットに関連されたイメージ情報を記憶するための複数のメモリ装置と、
ｂ）前記メモリ装置中のイメージ情報にしたがって、ディスプレイの画像ユニットの複数の列を形成する複数の画像ユニットをメモリ装置に同時に駆動させる制御論理装置とを具備している集積回路。
【請求項５４】  予め定められた画像ユニットに関連する複数のメモリ装置を含んでいる請求項５３記載の集積回路。
【請求項５５】  制御論理装置は、制御信号に応答して、メモリ装置からのイメージ情報の解除をトリガーする請求項５３記載の集積回路。
【請求項５６】  メモリ装置中に負荷されるイメージ情報を受信するためのイメージデータ入力を有している請求項５５記載の集積回路。
【請求項５７】  メモリ装置へのデータ入力において与えられるイメージデータを逐次的に負荷するためのデータ負荷論理装置を含んでいる請求項５６記載の集積回路。
【請求項５８】  制御論理装置は画像ユニットを駆動するためにメモリ装置からイメージ情報を解除するように構成され、それに続いてメモリ装置中にイメージデータを負荷する請求項５７記載の集積回路。
【請求項５９】  制御論理装置は全てのメモリ装置から同時にイメージ情報を解除するように構成されている請求項５８記載の集積回路。
【請求項６０】  前記イメージデータはデジタルデータである請求項５９記載の集積回路。
【請求項６１】  前記イメージデータはカラー情報を伝達する請求項６０記載の集積回路。
【請求項６２】  それぞれのメモリ装置に関連する転送ゲートを具備している請求項６１記載の集積回路。
【請求項６３】  各転送ゲートはそれに関連する画像ユニットの視覚的知覚を変更する複数の動作状態を有している請求項６２記載の集積回路。
【請求項６４】  所定の転送ゲートに関連するメモリ装置中のイメージ情報は転送ゲートに与えられるとき、転送ゲートの動作状態を変化するように構成されている請求項６３記載の集積回路。
【請求項６５】  各転送ゲートは導通動作状態と、非導通動作状態とを有している請求項６４記載の集積回路。
【請求項６６】  各転送ゲートと直列のキャパシタを具備している請求項６５記載の集積回路。
【請求項６７】  ディスプレイは白熱灯ディスプレイ、液晶ディスプレイ、マイクロミラーディスプレイ、エレクトロルミネセンスダイオードディスプレイ、プラズマディスプレイ、発光ポリマーディスプレイ、およびフラッシュランプディスプレイからなるグループから選択される請求項５３項記載の集積回路。
【請求項６８】  ａ）集合的にイメージを形成できる画像ユニットのアレイを有するほぼ平面のイメージ生成素子と、
ｂ）イメージ生成素子のバッキングとを含んでおり、それは、
ｉ）イメージ生成素子の画像ユニットに関連するイメージ情報を記憶するためのバッキングに取付けられた複数のメモリ装置と、
ii)ビデオメモリ装置のイメージ情報に基づいて、画像ユニットを駆動するためバッキング上の電気的な通路を含んでいるディスプレイ装置。
【請求項６９】  メモリ装置中に負荷されるイメージデータを受信するためのデータ入力を有している請求項６８記載のディスプレイ装置。
【請求項７０】  メモリ装置へのデータ入力において与えられるイメージデータを逐次的に負荷するためのデータ負荷論理装置を含んでいる請求項６９記載のディスプレイ装置。
【請求項７１】  それぞれの電気的通路によってイメージ情報の解放をトリガーするためのイメージ情報解放論理装置を含んでいる請求項７０記載のディスプレイ装置。
【請求項７２】  イメージ情報解放論理装置は画像ユニットの駆動に使用されるメモリ装置からイメージ情報を解放するように構成され、それに続いてメモリ装置中にイメージデータを負荷する請求項７１記載のディスプレイ装置。
【請求項７３】  それぞれのメモリ装置に関連するバッキング上に転送ゲートを具備している請求項７２記載のディスプレイ装置。
【請求項７４】  各転送ゲートに関連するバッキング上にキャパシタを具備している請求項７３記載のディスプレイ装置。
【請求項７５】  集合的にイメージを形成できる画像ユニットのアレイを有するディスプレイ装置において、各画像ユニットは、
ｉ）ガスを保持する容器と、
ii）ガスに反復的に光子バーストを放出させる特性を有する電圧をガスに与えるためガスと接触する電極とを含んでおり、各光子バーストはガスが瞬間的にイオン化状態に入ったときに発生されるディスプレイ装置。
【請求項７６】  電圧は交流電圧である請求項７５記載のディスプレイ装置。
【請求項７７】  交流電圧は周波数によって特徴付けられ、ガスは交流電圧の周波数の関数であるレートで光子バーストを放出できる請求項７６記載のディスプレイ装置。
【請求項７８】  交流電圧は大きさによって特徴付けられ、ガスは交流電圧の大きさの関数であるレートで光子バーストを放出できる請求項７６記載のディスプレイ装置。
【請求項７９】  電気的通路中にキャパシタを有し、キャパシタは電極の１つを有している請求項７６記載のディスプレイ装置。
【請求項８０】  キャパシタは電極の１つと直列である請求項７９記載のディスプレイ装置。
【請求項８１】  光子バーストに露出されている発光層を含んでいる請求項７５記載のディスプレイ装置。
【請求項８２】  集合的にイメージを形成できる画像ユニットのアレイを有するディスプレイ装置において、
ｉ）ガスを保持する容器と、
ii）ガスをイオン化状態に入らせる特性を有する電圧をガスに与えるためにガスと接触する電極とを具備し、発光アークモードに入らずに光子を放出するディスプレイ装置。
【請求項８３】  電圧はガスに反復的に光子バーストを放出させる特性を有する請求項８２記載のディスプレイ装置。
【請求項８４】  電圧は交流電圧である請求項８３記載のディスプレイ装置。
【請求項８５】  交流電圧は周波数によって特徴付けられ、ガスは交流電圧の周波数の関数であるレートで光子バーストを放出できる請求項８４記載のディスプレイ装置。
【請求項８６】  交流電圧は大きさによって特徴付けられ、ガスは交流電圧の大きさの関数であるレートで光子バーストを放出できる請求項８４記載のディスプレイ装置。
【請求項８７】  電気的通路中にキャパシタを有し、そのキャパシタは電極の１つを有している請求項８２記載のディスプレイ装置。
【請求項８８】  キャパシタは電極の１つと直列である請求項８７記載のディスプレイ装置。
【請求項８９】  光子バーストに露出されている発光層を含んでいる請求項８２記載のディスプレイ装置。
【請求項９０】  集合的にイメージを形成できる画像ユニットのアレイを有するディスプレイ装置において、
ｉ）ガスを保持する容器と、
ii）ガスと接触する電極と、
iii）ガスに光子を放出させるために前記電極に結合されている電源とを具備しており、前記電源はガスに交流電圧を与え、ガスにより放出された光子束は交流電圧の周波数に関連されているディスプレイ装置。
【請求項９１】  交流電圧はガスに反復的に光子バーストを放出させる請求項９０記載のディスプレイ装置。
【請求項９２】  光子束は光子バーストが放出されるレートの関数である請求項９１記載のディスプレイ装置。
【請求項９３】  電気的通路中にキャパシタを有し、そのキャパシタは電極の１つを有している請求項９２記載のディスプレイ装置。
【請求項９４】  キャパシタは電極の１つと直列である請求項９３記載のディスプレイ装置。
【請求項９５】  光子束に露出されている発光層を含んでいる請求項９０記載のディスプレイ装置。
【請求項９６】  集合的にイメージを形成できる画像ユニットのアレイを有するディスプレイ装置において、
ｉ）ガスを保持する容器と、
ii）ガスと接触する電極と、
iii）ガスに光子を放出させるため電極に結合されている電源とを具備しており、前記電源はガスに交流電圧を与え、ガスにより放出された光子束は交流電圧の大きさに関連されているディスプレイ装置。
【請求項９７】  交流電圧はガスに反復的に光子バーストを放出させる請求項９６記載のディスプレイ装置。
【請求項９８】  光子束は光子バーストが放出されるレートの関数である請求項９７記載のディスプレイ装置。
【請求項９９】  電気的通路中にキャパシタを有し、そのキャパシタは電極の１つを有している請求項９８記載のディスプレイ装置。
【請求項１００】  キャパシタは電極の１つと直列である請求項９９記載のディスプレイ装置。
【請求項１０１】  光子束に露出されている発光層を含んでいる請求項９６記載のディスプレイ装置。